(57)【要約】  本願の実施例はランダムアクセス方法、端末装置及びネットワーク装置を提供し、端末装置はランダムアクセス過程でＭＳＧ  １においてプリアンブルシーケンス及びアップリンク情報を送信し、ＭＳＧ  ２においてネットワーク装置のランダムアクセス応答を受信し、即ちツーステップ・ランダムアクセス過程によってランダムアクセスを実現することができ、ランダムアクセス過程の遅延を減少させる。該方法は、端末装置が第１ＰＲＡＣＨリソースにおいて第１プリアンブルシーケンス及び第１アップリンク情報を送信することと、該端末装置が第１ＲＡ−ＲＮＴＩによりスクランブルした第１ＰＤＣＣＨを受信して、該第１ＰＤＣＣＨの受信状況に応じて後続のランダムアクセス過程を実行し、該第１ＲＡ−ＲＮＴＩは該第１ＰＲＡＣＨリソースに基づいて取得したものであることと、を含む。
2022502877.tif 000002
【特許請求の範囲】
【請求項１】
ランダムアクセス方法であって、
端末装置が第１物理ランダムアクセスチャネル（ＰＲＡＣＨ）リソースにおいて、第１プリアンブルシーケンス及び第１アップリンク情報を送信することと、
前記端末装置が第１ランダムアクセス無線ネットワーク一時的識別子（ＲＡ−ＲＮＴＩ）によりスクランブルした第１物理ダウンリンク制御チャネル（ＰＤＣＣＨ）を受信して、前記第１ＰＤＣＣＨの受信状況に応じて後続のランダムアクセス過程を実行し、前記第１ＲＡ−ＲＮＴＩは前記第１ＰＲＡＣＨリソースに基づいて取得したものであることと、を含むことを特徴とするランダムアクセス方法。
【請求項２】
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする請求項１に記載の方法。
【請求項３】
前記端末装置は前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれないことを決定した場合、
前記端末装置が前記第１ＰＤＣＣＨの受信状況に応じて後続のランダムアクセス過程を実行することは、
前記端末装置がランダムアクセス過程を改めて開始することを含むことを特徴とする請求項２に記載の方法。
【請求項４】
前記端末装置が前記第１プリアンブルシーケンス及び前記第１アップリンク情報を送信する前に、前記方法は更に、
前記端末装置が前記第１ＰＲＡＣＨリソースに対応する第１物理アップリンク制御チャネル（ＰＵＣＣＨ）リソースを取得することを含むことを特徴とする請求項２又は３に記載の方法。
【請求項５】
前記端末装置が前記第１ＰＲＡＣＨリソースに対応する第１ＰＵＣＣＨリソースを取得することは、
前記端末装置がネットワーク装置から送信された、プリアンブルシーケンスグループとＰＵＣＣＨリソースとの対応関係を示すための設定情報を受信することと、
前記端末装置が前記第１プリアンブルシーケンスに対応する第１プリアンブルシーケンスグループ識別子及び前記対応関係に基づいて、前記第１ＰＵＣＣＨリソースを決定することと、を含むことを特徴とする請求項４に記載の方法。
【請求項６】
前記端末装置は前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれることを決定した場合、
前記端末装置が前記第１ＰＤＣＣＨの受信状況に応じて後続のランダムアクセス過程を実行することは、
前記第１ＰＤＣＣＨに前記第１プリアンブルシーケンスグループ識別子が含まれる場合、前記端末装置が前記第１ＰＵＣＣＨリソースにおいて否定応答（ＮＡＣＫ）情報を送信すること、及び／又は、
前記第１ＰＤＣＣＨに前記第１プリアンブルシーケンスグループ識別子が含まれない場合、前記端末装置がランダムアクセス過程を改めて開始することを含むことを特徴とする請求項５に記載の方法。
【請求項７】
前記端末装置は前記第１ＰＤＣＣＨを正しく受信して、前記第１ＰＤＳＣＨを正しく受信した場合、
前記端末装置が前記第１ＰＤＣＣＨの受信状況に応じて後続のランダムアクセス過程を実行することは、
前記第１ＰＤＳＣＨに前記第１プリアンブルシーケンス及び／又は前記第１アップリンク情報に対するＲＡＲメッセージが含まれない場合、前記端末装置がランダムアクセス過程を改めて開始すること、及び／又は、
前記第１ＰＤＳＣＨに前記第１プリアンブルシーケンスに対するＲＡＲメッセージが含まれ、且つ前記第１プリアンブルシーケンスに対するＲＡＲメッセージが前記第２ＲＡＲフォーマットである場合、前記端末装置が前記第１プリアンブルシーケンスに対するＲＡＲメッセージに基づいて第１物理アップリンク共有チャネル（ＰＵＳＣＨ）を伝送すること、及び／又は、
前記第１ＰＤＳＣＨに前記第１プリアンブルシーケンス及び前記第１アップリンク情報に対するＲＡＲメッセージが含まれ、且つ前記第１プリアンブルシーケンス及び前記第１アップリンク情報に対するＲＡＲメッセージが前記第１ＲＡＲフォーマットである場合、ランダムアクセス過程が完了することを含むことを特徴とする請求項２〜６のいずれか１項に記載の方法。
【請求項８】
前記端末装置が前記第１ＰＤＣＣＨの受信状況に応じて後続のランダムアクセス過程を実行することは、
前記端末装置が前記第１ＰＤＣＣＨを正しく受信できない場合、前記端末装置がランダムアクセス過程を改めて開始することを含むことを特徴とする請求項１〜７のいずれか１項に記載の方法。
【請求項９】
前記端末装置がランダムアクセス過程を改めて開始することは、
前記端末装置が第２ＰＲＡＣＨリソースにおいて第２プリアンブルシーケンス及び第２アップリンク情報を送信し、又は、前記端末装置が第３ＰＲＡＣＨリソースにおいて第３プリアンブルシーケンスを送信することを含むことを特徴とする請求項３、６、７又は８に記載の方法。
【請求項１０】
ランダムアクセス方法であって、
ネットワーク装置が第１物理ランダムアクセスチャネル（ＰＲＡＣＨ）リソースにおいて、端末装置から送信された第１プリアンブルシーケンス及び／又は第１アップリンク情報を受信することと、
前記ネットワーク装置が前記第１プリアンブルシーケンス及び前記第１アップリンク情報の受信状況に応じて、後続のランダムアクセス過程を実行することと、を含むことを特徴とするランダムアクセス方法。
【請求項１１】
前記ネットワーク装置が前記第１プリアンブルシーケンス及び／又は前記第１アップリンク情報を受信した場合、前記方法は更に、
前記ネットワーク装置が前記端末装置に第１ランダムアクセス無線ネットワーク一時的識別子（ＲＡ−ＲＮＴＩ）によりスクランブルした第１物理ダウンリンク制御チャネル（ＰＤＣＣＨ）を送信し、前記第１ＲＡ−ＲＮＴＩは前記第１ＰＲＡＣＨリソースに基づいて取得したものであることを含むことを特徴とする請求項１０に記載の方法。
【請求項１２】
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする請求項１１に記載の方法。
【請求項１３】
前記ネットワーク装置が前記第１プリアンブルシーケンスを正しく受信したが、前記第１アップリンク情報を正しく受信できない場合、前記第１指示情報は前記第１ＰＤＣＣＨがスケジューリングした前記第１ＰＤＳＣＨに、前記第１ＲＡＲフォーマットのＲＡＲメッセージが含まれないことを決定することを特徴とする請求項１２に記載の方法。
【請求項１４】
前記ネットワーク装置が前記第１プリアンブルシーケンス及び／又は前記第１アップリンク情報を受信する前に、前記方法は更に、
前記ネットワーク装置が、プリアンブルシーケンスグループとＰＵＣＣＨリソースとの対応関係を示すための設定情報を前記端末装置に送信することを含むことを特徴とする請求項１２又は１３に記載の方法。
【請求項１５】
前記ネットワーク装置が前記第１プリアンブルシーケンスを正しく受信して、前記第１アップリンク情報を正しく受信した場合、前記第１指示情報は前記第１ＰＤＣＣＨがスケジューリングした前記第１ＰＤＳＣＨに、前記第１ＲＡＲフォーマットのＲＡＲメッセージが含まれることを決定することを特徴とする請求項１４に記載の方法。
【請求項１６】
前記方法は更に、
前記ネットワーク装置が、前記第１プリアンブルシーケンスに対応する第１プリアンブルシーケンスグループ識別子及び前記対応関係に基づいて、第１物理アップリンク制御チャネル（ＰＵＣＣＨ）リソースを決定することと、
前記ネットワーク装置が前記第１ＰＵＣＣＨリソースにおいて、否定応答（ＮＡＣＫ）情報があるかどうかを監視することと、を含むことを特徴とする請求項１５に記載の方法。
【請求項１７】
前記ネットワーク装置が前記第１ＰＵＣＣＨリソースにおいてＮＡＣＫ情報を監視した場合、前記方法は更に、
前記ネットワーク装置が第２ＰＤＳＣＨリソースにおいて、少なくとも前記第１プリアンブルシーケンスに対するＲＡＲメッセージを再送することを含むことを特徴とする請求項１６に記載の方法。
【請求項１８】
前記ネットワーク装置が前記第１プリアンブルシーケンス及び前記第１アップリンク情報を正しく受信できない場合、前記ネットワーク装置は処理を行わないことを特徴とする請求項１０〜１７のいずれか１項に記載の方法。
【請求項１９】
端末装置であって、通信ユニットと処理ユニットを備え、
前記通信ユニットは、第１物理ランダムアクセスチャネル（ＰＲＡＣＨ）リソースにおいて第１プリアンブルシーケンス及び第１アップリンク情報を送信することに用いられ、
前記通信ユニットは更に、第１ランダムアクセス無線ネットワーク一時的識別子（ＲＡ−ＲＮＴＩ）によりスクランブルした第１物理ダウンリンク制御チャネル（ＰＤＣＣＨ）を受信することに用いられ、前記第１ＲＡ−ＲＮＴＩは前記第１ＰＲＡＣＨリソースに基づいて取得したものであり、
前記処理ユニットは、前記第１ＰＤＣＣＨの受信状況に応じて後続のランダムアクセス過程を実行することに用いられることを特徴とする端末装置。
【請求項２０】
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする請求項１９に記載の端末装置。
【請求項２１】
前記通信ユニットは前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれないことを決定した場合、
前記処理ユニットは具体的に、ランダムアクセス過程を改めて開始することに用いられることを特徴とする請求項２０に記載の端末装置。
【請求項２２】
前記通信ユニットが前記第１プリアンブルシーケンス及び前記第１アップリンク情報を送信する前に、前記処理ユニットは更に、前記第１ＰＲＡＣＨリソースに対応する第１物理アップリンク制御チャネル（ＰＵＣＣＨ）リソースを取得することに用いられることを特徴とする請求項２０又は２１に記載の端末装置。
【請求項２３】
前記処理ユニットは具体的に、
ネットワーク装置から送信された設定情報を受信するように前記通信ユニットを制御し、前記設定情報はプリアンブルシーケンスグループとＰＵＣＣＨリソースとの対応関係を示すことに用いられることと、
前記第１プリアンブルシーケンスに対応する第１プリアンブルシーケンスグループ識別子及び前記対応関係に基づいて、前記第１ＰＵＣＣＨリソースを決定することと、に用いられることを特徴とする請求項２２に記載の端末装置。
【請求項２４】
前記通信ユニットは前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれることを決定した場合、
前記処理ユニットは具体的に、
前記第１ＰＤＣＣＨに前記第１プリアンブルシーケンスグループ識別子が含まれる場合、前記第１ＰＵＣＣＨリソースにおいて否定応答（ＮＡＣＫ）情報を送信すること、及び／又は、
前記第１ＰＤＣＣＨに前記第１プリアンブルシーケンスグループ識別子が含まれない場合、ランダムアクセス過程を改めて開始することに用いられることを特徴とする請求項２３に記載の端末装置。
【請求項２５】
前記通信ユニットが前記第１ＰＤＣＣＨを正しく受信して、前記第１ＰＤＳＣＨを正しく受信した場合、
前記処理ユニットは具体的に、
前記第１ＰＤＳＣＨに前記第１プリアンブルシーケンス及び／又は前記第１アップリンク情報に対するＲＡＲメッセージが含まれない場合、ランダムアクセス過程を改めて開始すること、及び／又は、
前記第１ＰＤＳＣＨに前記第１プリアンブルシーケンスに対するＲＡＲメッセージが含まれ、且つ前記第１プリアンブルシーケンスに対するＲＡＲメッセージが前記第２ＲＡＲフォーマットである場合、前記第１プリアンブルシーケンスに対するＲＡＲメッセージに基づいて第１物理アップリンク共有チャネル（ＰＵＳＣＨ）を伝送すること、及び／又は、
前記第１ＰＤＳＣＨに前記第１プリアンブルシーケンス及び前記第１アップリンク情報に対するＲＡＲメッセージが含まれ、且つ前記第１プリアンブルシーケンス及び前記第１アップリンク情報に対するＲＡＲメッセージが前記第１ＲＡＲフォーマットである場合、ランダムアクセス過程が完了することを決定することに用いられることを特徴とする請求項２０〜２４のいずれか１項に記載の端末装置。
【請求項２６】
前記処理ユニットは具体的に、
前記通信ユニットが前記第１ＰＤＣＣＨを正しく受信できない場合、ランダムアクセス過程を改めて開始することに用いられることを特徴とする請求項１９〜２５のいずれか１項に記載の端末装置。
【請求項２７】
前記処理ユニットは具体的に、
第２ＰＲＡＣＨリソースにおいて第２プリアンブルシーケンス及び第２アップリンク情報を送信し、又は、第３ＰＲＡＣＨリソースにおいて第３プリアンブルシーケンスを送信することに用いられることを特徴とする請求項２１、２４、２５又は２６に記載の端末装置。
【請求項２８】
ネットワーク装置であって、
第１物理ランダムアクセスチャネル（ＰＲＡＣＨ）リソースにおいて、端末装置から送信された第１プリアンブルシーケンス及び／又は第１アップリンク情報を受信することに用いられる通信ユニットと、
前記第１プリアンブルシーケンス及び前記第１アップリンク情報の受信状況に応じて後続のランダムアクセス過程を実行することに用いられる処理ユニットと、を備えることを特徴とするネットワーク装置。
【請求項２９】
前記通信ユニットが前記第１プリアンブルシーケンス及び／又は前記第１アップリンク情報を受信した場合、前記通信ユニットは更に、前記端末装置に第１ランダムアクセス無線ネットワーク一時的識別子（ＲＡ−ＲＮＴＩ）によりスクランブルした第１物理ダウンリンク制御チャネル（ＰＤＣＣＨ）を送信することに用いられ、前記第１ＲＡ−ＲＮＴＩは前記第１ＰＲＡＣＨリソースに基づいて取得したものであることを特徴とする請求項２８に記載のネットワーク装置。
【請求項３０】
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする請求項２９に記載のネットワーク装置。
【請求項３１】
前記通信ユニットが前記第１プリアンブルシーケンスを正しく受信したが、前記第１アップリンク情報を正しく受信できない場合、前記第１指示情報は、前記第１ＰＤＣＣＨがスケジューリングした前記第１ＰＤＳＣＨに、前記第１ＲＡＲフォーマットのＲＡＲメッセージが含まれないことを決定することを特徴とする請求項３０に記載のネットワーク装置。
【請求項３２】
前記通信ユニットが前記第１プリアンブルシーケンス及び／又は前記第１アップリンク情報を受信する前に、前記通信ユニットは更に、プリアンブルシーケンスグループとＰＵＣＣＨリソースとの対応関係を示すための設定情報を前記端末装置に送信することに用いられることを特徴とする請求項３０又は３１に記載のネットワーク装置。
【請求項３３】
前記通信ユニットが前記第１プリアンブルシーケンスを正しく受信して、前記第１アップリンク情報を正しく受信した場合、前記第１指示情報は、前記第１ＰＤＣＣＨがスケジューリングした前記第１ＰＤＳＣＨに、前記第１ＲＡＲフォーマットのＲＡＲメッセージが含まれることを決定することを特徴とする請求項３２に記載のネットワーク装置。
【請求項３４】
前記処理ユニットは更に、前記第１プリアンブルシーケンスに対応する第１プリアンブルシーケンスグループ識別子及び前記対応関係に基づいて、第１物理アップリンク制御チャネル（ＰＵＣＣＨ）リソースを決定することに用いられ、
前記通信ユニットは更に、前記第１ＰＵＣＣＨリソースにおいて、否定応答（ＮＡＣＫ）情報があるかどうかを監視することに用いられることを特徴とする請求項３３に記載のネットワーク装置。
【請求項３５】
前記通信ユニットが前記第１ＰＵＣＣＨリソースにおいてＮＡＣＫ情報を監視した場合、前記通信ユニットは更に、第２ＰＤＳＣＨリソースにおいて少なくとも前記第１プリアンブルシーケンスに対するＲＡＲメッセージを再送することに用いられることを特徴とする請求項３４に記載のネットワーク装置。
【請求項３６】
前記通信ユニットが前記第１プリアンブルシーケンス及び前記第１アップリンク情報を正しく受信できない場合、前記ネットワーク装置は処理を行わないことを特徴とする請求項２８〜３５のいずれか１項に記載のネットワーク装置。
【請求項３７】
端末装置であって、プロセッサ及びメモリを備え、該メモリはコンピュータプログラムを記憶することに用いられ、前記プロセッサは前記メモリに記憶されるコンピュータプログラムを呼び出して実行して、請求項１〜９のいずれか１項に記載の方法を実行することに用いられることを特徴とする端末装置。
【請求項３８】
ネットワーク装置であって、プロセッサ及びメモリを備え、該メモリはコンピュータプログラムを記憶することに用いられ、前記プロセッサは前記メモリに記憶されるコンピュータプログラムを呼び出して実行して、請求項１０〜１８のいずれか１項に記載の方法を実行することに用いられることを特徴とするネットワーク装置。
【請求項３９】
チップであって、メモリからコンピュータプログラムを呼び出して実行し、前記チップを取り付ける装置に請求項１〜９のいずれか１項に記載の方法を実行させるためのプロセッサを備えることを特徴とするチップ。
【請求項４０】
チップであって、メモリからコンピュータプログラムを呼び出して実行し、前記チップを取り付ける装置に請求項１０〜１８のいずれか１項に記載の方法を実行させるためのプロセッサを備えることを特徴とするチップ。
【請求項４１】
コンピュータプログラムを記憶することに用いられ、前記コンピュータプログラムによってコンピュータが請求項１〜９のいずれか１項に記載の方法を実行することを特徴とするコンピュータ可読記憶媒体。
【請求項４２】
コンピュータプログラムを記憶することに用いられ、前記コンピュータプログラムによってコンピュータが請求項１０〜１８のいずれか１項に記載の方法を実行することを特徴とするコンピュータ可読記憶媒体。
【請求項４３】
コンピュータプログラム命令を含み、該コンピュータプログラム命令によってコンピュータが請求項１〜９のいずれか１項に記載の方法を実行することを特徴とするコンピュータプログラム製品。
【請求項４４】
コンピュータプログラム命令を含み、該コンピュータプログラム命令によってコンピュータが請求項１０〜１８のいずれか１項に記載の方法を実行することを特徴とするコンピュータプログラム製品。
【請求項４５】
コンピュータに請求項１〜９のいずれか１項に記載の方法を実行させることを特徴とするコンピュータプログラム。
【請求項４６】
コンピュータに請求項１０〜１８のいずれか１項に記載の方法を実行させることを特徴とするコンピュータプログラム。
【発明の詳細な説明】
【関連出願の相互参照】
【０００１】
本願は、２０１８年７月２７日に提出した中国特許出願第２０１８１０８４６９０２．５号、出願の名称「ランダムアクセス方法、端末装置及びネットワーク装置」の優先権を主張し、その全ての内容が援用により本願に取り込まれる。
【技術分野】
【０００２】
本願の実施例は通信分野に関し、より具体的にランダムアクセス方法、端末装置及びネットワーク装置に関する。
【背景技術】
【０００３】
第５世代移動通信技術である新無線（５Ｇ  ＮＲ、５−Ｇｅｎｅｒａｔｉｏｎ  Ｎｅｗ  Ｒａｄｉｏ）システムにおいて、競争に基づくランダムアクセス過程はロングタームエボリューション（ＬＴＥ、Ｌｏｎｇ  Ｔｅｒｍ  Ｅｖｏｌｕｔｉｏｎ）と類似のフォーステップ・ランダムアクセス過程（メッセージ１（ＭＳＧ  １、ｍｅｓｓａｇｅ  １）−ＭＳＧ  ４）を用いてもよいが、５Ｇ  ＮＲは遅延への要件が比較的高く、ＬＴＥと類似のフォーステップ・ランダムアクセス過程を用いれば、遅延が比較的大きく、５Ｇ  ＮＲにおける遅延への要件を満たすことができない。
【発明の概要】
【発明が解決しようとする課題】
【０００４】
本願の実施例はランダムアクセス方法、端末装置及びネットワーク装置を提供し、端末装置はランダムアクセス過程でＭＳＧ  １においてプリアンブルシーケンス及びアップリンク情報を送信し、ＭＳＧ  ２においてネットワーク装置のランダムアクセス応答を受信し、即ちツーステップ・ランダムアクセス過程によってランダムアクセスを実現することができ、ランダムアクセス過程の遅延を減少させる。
【課題を解決するための手段】
【０００５】
第１態様ではランダムアクセス方法を提供し、該方法は、
端末装置が第１物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）リソースにおいて第１プリアンブルシーケンス及び第１アップリンク情報を送信することと、
前記端末装置が第１ランダムアクセス無線ネットワーク一時的識別子（ＲＡ−ＲＮＴＩ、Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｔｙ）によりスクランブルした第１物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を受信して、前記第１ＰＤＣＣＨの受信状況に応じて後続のランダムアクセス過程を実行し、前記第１ＲＡ−ＲＮＴＩは前記第１ＰＲＡＣＨリソースに基づいて取得したものであることと、を含む。
【０００６】
第２態様ではランダムアクセス方法を提供し、該方法は、
ネットワーク装置が第１ＰＲＡＣＨリソースにおいて、端末装置から送信された第１プリアンブルシーケンス及び／又は第１アップリンク情報を受信することと、
前記ネットワーク装置が前記第１プリアンブルシーケンス及び前記第１アップリンク情報の受信状況に応じて後続のランダムアクセス過程を実行することと、を含む。
【０００７】
第３態様では端末装置を提供し、該端末装置は上記第１態様又はその各実現方式における方法を実行することに用いられる。
【０００８】
具体的に、該端末装置は上記第１態様又はその各実現方式における方法を実行するための機能モジュールを備える。
【０００９】
第４態様ではネットワーク装置を提供し、該ネットワーク装置は上記第２態様又はその各実現方式における方法を実行することに用いられる。
【００１０】
具体的に、該ネットワーク装置は上記第２態様又はその各実現方式における方法を実行するための機能モジュールを備える。
【００１１】
第５態様では端末装置を提供し、該端末装置はプロセッサ及びメモリを備える。該メモリはコンピュータプログラムを記憶することに用いられ、該プロセッサは該メモリに記憶されるコンピュータプログラムを呼び出して実行して、上記第１態様又はその各実現方式における方法を実行することに用いられる。
【００１２】
第６態様ではネットワーク装置を提供し、該ネットワーク装置はプロセッサ及びメモリを備える。該メモリはコンピュータプログラムを記憶することに用いられ、該プロセッサは該メモリに記憶されるコンピュータプログラムを呼び出して実行して、上記第２態様又はその各実現方式における方法を実行することに用いられる。
【００１３】
第７態様ではチップを提供し、該チップは上記第１態様〜第２態様のうちのいずれか１つの態様又はその各実現方式における方法を実現することに用いられる。
【００１４】
具体的に、該チップは、メモリからコンピュータプログラムを呼び出して実行し、該チップを取り付ける装置に上記第１態様〜第２態様のうちのいずれか１つの態様又はその各実現方式における方法を実行させるためのプロセッサを備える。
【００１５】
第８態様ではコンピュータ可読記憶媒体を提供し、該コンピュータ可読記憶媒体はコンピュータプログラムを記憶することに用いられ、該コンピュータプログラムによってコンピュータが上記第１態様〜第２態様のうちのいずれか１つの態様又はその各実現方式における方法を実行する。
【００１６】
第９態様ではコンピュータプログラム製品を提供し、該コンピュータプログラム製品はコンピュータプログラム命令を含み、前記コンピュータプログラム命令によってコンピュータが上記第１態様〜第２態様のうちのいずれか１つの態様又はその各実現方式における方法を実行する。
【００１７】
第１０態様ではコンピュータプログラムを提供し、該コンピュータプログラムがコンピュータにおいて実行されるとき、コンピュータが上記第１態様〜第２態様のうちのいずれか１つの態様又はその各実現方式における方法を実行する。
【発明の効果】
【００１８】
上記技術案によれば、ツーステップ・ランダムアクセス過程において、端末装置はＭＳＧ  １において第１ＰＲＡＣＨリソースにおいて第１プリアンブルシーケンス及び第１アップリンク情報を送信し、ＭＳＧ  ２において第１ＲＡ−ＲＮＴＩによりスクランブルした第１ＰＤＣＣＨを受信し、これにより、端末装置は第１ＰＤＣＣＨの受信状況に応じて後続のランダムアクセス過程を実行することができ、更にツーステップ・ランダムアクセスを実現し、ランダムアクセス過程の遅延を減少させる。
【００１９】
更に、ツーステップ・ランダムアクセス過程において、ネットワーク装置はＭＳＧ  １において第１ＰＲＡＣＨリソースにおいて第１プリアンブルシーケンス及び／又は第１アップリンク情報を受信し、これにより、第１プリアンブルシーケンス及び第１アップリンク情報の受信状況に応じて後続のランダムアクセス過程を実行することができ、更にツーステップ・ランダムアクセスを実現し、ランダムアクセス過程の遅延を減少させる。
【図面の簡単な説明】
【００２０】
【図１】図１は本願の実施例に係る通信システムアーキテクチャの模式図である。
【図２】図２は本願の実施例に係るランダムアクセス方法の模式的なフローチャートである。
【図３】図３は本願の実施例に係る他のランダムアクセス方法の模式的なフローチャートである。
【図４】図４は本願の実施例に係る端末装置の模式的なブロック図である。
【図５】図５は本願の実施例に係るネットワーク装置の模式的なブロック図である。
【図６】図６は本願の実施例に係る通信装置の模式的なブロック図である。
【図７】図７は本願の実施例に係るチップの模式的なブロック図である。
【図８】図８は本願の実施例に係る通信システムの模式的なブロック図である。
【発明を実施するための形態】
【００２１】
以下、本願の実施例の図面を参照しながら、本願の実施例の技術案を説明する。無論、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００２２】
本願の実施例は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、進化型長期発展（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムが進化したシステム、アンライセンススペクトラムにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンススペクトラムにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィデリティ（ＷｉＦｉ、Ｗｉｒｅｌｅｓｓ  Ｆｉｄｅｌｉｔｙ）、次世代通信システム又は他の通信システム等に適用されてもよい。
【００２３】
一般的に、従来の通信システムはサポートする接続数が限られ、実現されやすいが、通信技術の発展に伴い、移動通信システムは従来の通信をサポートするだけでなく、例えば端末間（Ｄ２Ｄ、Ｄｅｖｉｃｅ  ｔｏ  Ｄｅｖｉｃｅ）通信、マシン対マシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）及び車車間（Ｖ２Ｖ、Ｖｅｈｉｃｌｅ  ｔｏ  Ｖｅｈｉｃｌｅ）通信等もサポートすることとなり、本願の実施例はこれらの通信システムにも適用されてもよい。
【００２４】
選択肢として、本願の実施例の通信システムはキャリアアグリゲーション（ＣＡ、Ｃａｒｒｉｅｒ  Ａｇｇｒｅｇａｔｉｏｎ）シーンに適用されてもよく、デュアル接続（ＤＣ、Ｄｕａｌ  Ｃｏｎｎｅｃｔｉｖｉｔｙ）シーンに適用されてもよく、スタンドアロン（ＳＡ、Ｓｔａｎｄａｌｏｎｅ）ネットワーク配置シーンに適用されてもよい。
【００２５】
本願の実施例は応用されているスペクトルを制限しない。例えば、本願の実施例はライセンススペクトラムに適用されてもよく、アンライセンススペクトラムに適用されてもよい。
【００２６】
例示的に、本願の実施例に応用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。
【００２７】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２８】
選択肢として、該通信システム１００は更にネットワーク制御装置、モビリティ管理エンティティ等の他のネットワークエンティティを備えてもよく、本願の実施例は制限しない。
【００２９】
理解されるように、本願の実施例では、ネットワーク／システムにおける通信機能を持つ装置が通信装置と称されてもよい。図１に示される通信システム１００を例とし、通信装置は通信機能を持つネットワーク装置１１０及び端末装置１２０を備えてもよく、ネットワーク装置１１０及び端末装置１２０は以上に説明される具体的な装置であってもよく、ここで詳細な説明は省略し、通信装置は更に通信システム１００における他の装置、例えばネットワーク制御装置、モビリティ管理エンティティ等の他のネットワークエンティティを備えてもよく、本願の実施例は制限しない。
【００３０】
本願の実施例はネットワーク装置及び端末装置と組み合わせて各実施例を説明するが、端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイス等と称されてもよい。端末装置はＷＬＡＮにおけるステーション（ＳＴ、ＳＴＡＩＯＮ）であってもよく、セルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）装置、無線通信機能を有する携帯端末、コンピューティングデバイス又は無線モデムに接続される他の処理装置、車載装置、ウェアラブル装置及び次世代通信システム、例えばＮＲネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【００３１】
例示的な説明であって制限的ではないが、本願の実施例では、該端末装置は更にウェアラブル装置であってもよい。ウェアラブル装置はウェアラブルスマート機器と称されてもよく、ウェアラブル技術で日常の服装に対してスマート設計を行って開発した着用可能な装置の総称であり、例えば眼鏡、手袋、腕時計、服飾及び靴等である。ウェアラブル装置は直接身につけ、又はユーザーの服又はアクセサリーに整合する携帯装置である。ウェアラブル装置はハードウェア装置だけでなく、ソフトウェアのサポート及びデータ交換、クラウド交換によって強力な機能を実現するものでもある。広義的には、ウェアラブルスマート機器は機能が完全で、寸法が大きく、スマートフォンに依存せずに完全又は一部の機能を実現することのできるもの、例えばスマートウォッチ又はスマートグラス等、並びにある種類のアプリケーション機能に集中して他の装置例えばスマートフォンと組み合わせて使用する必要のあるもの、例えば身体的兆候の監視・測定を行う各種類のスマートブレスレット、スマートアクセサリー等を含む。
【００３２】
ネットワーク装置はモバイル機器と通信するための装置であってもよく、ネットワーク装置はＷＬＡＮにおけるアクセスポイント（ＡＰ、Ａｃｃｅｓｓ  Ｐｏｉｎｔ）、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮＢ、ＮｏｄｅＢ）であってもよく、ＬＴＥにおける発展型基地局（ｅＮＢ又はｅＮｏｄｅＢ、Ｅｖｏｌｕｔｉｏｎａｌ  Ｎｏｄｅ  Ｂ）、あるいは中継局又はアクセスポイント、あるいは車載装置、ウェアラブル装置及びＮＲネットワークにおけるネットワーク装置（ｇＮＢ）又は将来発展するＰＬＭＮネットワークにおけるネットワーク装置等であってもよい。
【００３３】
本願の実施例では、ネットワーク装置はセルにサービスを提供し、端末装置は該セルに使用される伝送リソース（例えば、周波数領域リソース又はスペクトルリソース）によりネットワーク装置と通信する。該セルはネットワーク装置（例えば、基地局）に対応するセルであってもよく、セルはマクロ基地局に属してもよく、スモールセル（Ｓｍａｌｌ  ｃｅｌｌ）に対応する基地局に属してもよい。ここでのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよい。これらのスモールセルはカバレッジ範囲が狭く、送信電力が低いという特徴を有し、高速度のデータ伝送サービスを提供することに適する。
【００３４】
選択肢として、５Ｇ  ＮＲシステムにおいて、競争に基づくランダムアクセス過程はＬＴＥと類似のフォーステップ・ランダムアクセス過程（ＭＳＧ  １〜ＭＳＧ  ４）を用いてもよく、具体的に以下のとおりである。
【００３５】
ＭＳＧ  １では、端末装置はネットワーク装置にランダムアクセスプリアンブルシーケンスを送信する。
【００３６】
ＭＳＧ  ２では、ネットワーク装置は端末装置から送信されたアクセスプリアンブルシーケンスがあることを検出した後、端末装置にランダムアクセス応答（ＲＡＲ、ｒａｎｄｏｍ  ａｃｃｅｓｓ  ｒｅｓｐｏｎｓｅ）を送信し、これにより、ＭＳＧ３を送信する際に使用できるアップリンクリソース情報を端末装置に通知し、端末装置に一時的な無線ネットワーク一時的識別子（ＲＮＴＩ、Ｒａｄｉｏ  Ｎｅｔｗｏｒｋ  Ｔｅｍｐｏｒａｒｙ  Ｉｄｅｎｔｉｔｙ）を割り当て、端末装置にタイムアドバンスコマンド（ｔｉｍｅ  ａｄｖａｎｃｅ  ｃｏｍｍａｎｄ）等を提供する。端末装置がＲＡＲ時間窓内にＲＡＲを検出できない場合、端末装置はＰＲＡＣＨシーケンス（プリアンブルシーケンス）の再送を行うこととなり、端末装置がＲＡＲ時間窓内にＲＡＲを検出した場合、端末装置はＲＡＲで示される許可（ｇｒａｎｔ）リソースに基づいてＭＳＧ３の伝送を行うこととなる。ネットワーク装置がＲＡＲを送信する際に使用するＲＡ−ＲＮＴＩはＰＲＡＣＨの時間周波数リソースの位置に基づいて計算したものであり、１つのＲＡ−ＲＮＴＩによりスクランブルしたＰＤＣＣＨに対応するＰＤＳＣＨには複数のプリアンブルシーケンスに対する応答が含まれてもよい。
【００３７】
ＭＳＧ  ３では、端末装置はＲＡＲを受信した後、ＲＡＲの指定したアップリンクリソースにおいてＭＳＧ３メッセージを送信し、該ステップはハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）の再送を許容する。
【００３８】
ＭＳＧ  ４では、ネットワーク装置は競争解決メッセージを含むＭＳＧ４メッセージを端末装置に送信するとともに、端末装置にアップリンク伝送リソースを割り当てる。該ステップはＨＡＲＱの再送を許容する。端末装置はネットワーク装置から送信されたＭＳＧ  ４を受信した場合、ＭＳＧ  ４には端末装置から送信されたＭＳＧ３メッセージの一部の内容が含まれるかどうかを検出する。含まれる場合、端末装置によるランダムアクセス過程に成功したことを示し、含まれない場合、ランダム過程に失敗したと見なされ、端末装置は再びＭＳＧ  １からランダムアクセス過程を開始する必要がある。
【００３９】
理解されるように、上記フォーステップ・ランダムアクセス過程は遅延が比較的大きく、５Ｇ  ＮＲにおける遅延への要件を満たすことができない。このため、本願の実施例は遅延が比較的小さく、５Ｇ  ＮＲにおける遅延への要件を満たすことのできるツーステップ・ランダムアクセス過程に基づくランダムアクセス方法を提供する。
【００４０】
図２は本願の実施例に係るランダムアクセス方法２００の模式的なフローチャートであり、図２に示すように、該方法２００は以下のステップＳ２１０とＳ２２０を含んでもよい。
【００４１】
Ｓ２１０、端末装置は第１ＰＲＡＣＨリソースにおいて第１プリアンブルシーケンス及び第１アップリンク情報を送信する。
【００４２】
選択肢として、該第１ＰＲＡＣＨリソースは時間領域リソース、周波数領域リソース及びコード領域リソースを含んでもよい。
【００４３】
選択肢として、ランダムアクセスを開始する前に、端末装置は端末同期信号とＰＲＡＣＨリソースとの関連性を示すシステム情報を取得することができ、該端末装置はこのような関連性に基づいて適切なＰＲＡＣＨリソースを選択して、ランダムアクセスを開始することができる。
【００４４】
理解されるように、該第１プリアンブルシーケンス及び該第１アップリンク情報は該端末装置がランダムアクセスを実現するためにネットワーク装置に送信したものである。
【００４５】
選択肢として、本願の実施例では、該第１アップリンク情報は端末装置を区別するための情報、例えば端末装置識別子、ＲＮＴＩ等を含んでもよい。選択肢として、第１アップリンク情報がＲＮＴＩを含む場合、該ＲＮＴＩは端末装置がネットワーク装置の予め設定したツーステップ・ＲＡＣＨ伝送のためのＲＮＴＩ集合から選択したものであってもよい。
【００４６】
選択肢として、該第１アップリンク情報は端末装置を区別するための情報と、物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）送信をトリガーするイベントの属する類別とを含んでもよい。ＰＲＡＣＨ送信をトリガーするイベントは、
端末装置が初期アクセスを行う必要があるイベント、又は、
無線リンクに失敗した後、端末装置がＲＲＣ接続を改めて確立する必要があるイベント、又は、
端末装置がＲＲＣ接続状態にあり、サービスセルからターゲットセルに切り替える必要があるイベント、又は、
端末装置がＲＲＣ接続状態にあるが、アップリンク同期を実現できない場合、端末装置がアップリンクデータを送信し、又はダウンリンクデータを受信するイベント、又は、
端末装置がＲＲＣ非アクティブ状態からＲＲＣ接続状態に切り替えるイベント、又は、
端末装置がＲＲＣ接続状態にある場合、測位過程を実行する必要があるが、端末装置にＴＡがないイベント、又は、
端末装置が開放型システム間相互接続参照モデル（ＯＳＩ、Ｏｐｅｎ  Ｓｙｓｔｅｍ  Ｉｎｔｅｒｃｏｎｎｅｃｔｉｏｎ）を要求するイベント、又は、
端末装置がビーム（Ｂｅａｍ）失敗の回復を行う必要があるイベント、を含んでもよい。
【００４７】
このとき、選択肢として、端末装置はＰＲＡＣＨ送信をトリガーするイベントの属する類別を複数のビットで示してもよい。例えば、ＰＲＡＣＨ送信をトリガーするイベントの属する類別を３つのビットで示してもよく、即ち、「０００」は端末装置が初期アクセスを行う必要があることを示し、「００１」は端末装置がＲＲＣ接続を改めて確立する必要があることを示し、「０１０」は端末装置がセルを切り替える必要があることを示し、…、「１１１」は端末装置がＢｅａｍ失敗の回復を行う必要があることを示す。
【００４８】
選択肢として、該第１アップリンク情報は端末装置を区別するための情報、ＰＲＡＣＨ送信をトリガーするイベントの属する類別、及びこのイベントを完了するために伝送する必要がある情報を含んでもよい。
【００４９】
例示的に、端末装置の初期アクセスについては、端末装置が初期アクセスを行う必要があることを３つのビット「０００」で示してもよい。また、初期アクセスを完了するために伝送する必要がある情報、例えばＲＲＣ層の生成したＲＲＣ接続要求を他のビットで示してもよい。
【００５０】
例示的に、接続の再確立については、端末装置がＲＲＣ接続を改めて確立する必要があることを３つのビット「００１」で示してもよい。また、ＲＲＣ層の生成したＲＲＣ接続再確立要求を他のビットで示してもよい。
【００５１】
例示的に、端末装置のセル切り替えについては、端末装置がセルを切り替える必要があることを３つのビット「０１０」で示してもよい。また、ＲＲＣ層の生成したＲＲＣ切り替え完了メッセージを他のビットで示してもよい。
【００５２】
更に、該第１アップリンク情報は更にスケジューリング要求（ＳＲ、Ｓｃｈｅｄｕｌｉｎｇ  Ｒｅｑｕｅｓｔ）、バッファステータスレポート（ＢＳＲ、Ｂｕｆｆｅｒ  Ｓｔａｔｕｓ  Ｒｅｐｏｒｔ）及びサービスデータを含んでもよいが、それらに限らない。
【００５３】
選択肢として、本願の実施例では、該端末装置がステップＳ２１０を実行する前に、該端末装置は該第１ＰＲＡＣＨリソースに対応する第１ＰＵＣＣＨリソースを取得することができる。
【００５４】
具体的に、該端末装置は、
該端末装置が、ネットワーク装置から送信された、プリアンブルシーケンスグループとＰＵＣＣＨリソースとの対応関係を示すための設定情報を受信すること、
該端末装置が、該第１プリアンブルシーケンスに対応する第１プリアンブルシーケンスグループ識別子及び該対応関係に基づいて該第１ＰＵＣＣＨリソースを決定することにより、該第１ＰＲＡＣＨリソースに対応する該第１ＰＵＣＣＨリソースを取得することができる。
【００５５】
Ｓ２２０、該端末装置は第１ＲＡ−ＲＮＴＩによりスクランブルした第１ＰＤＣＣＨを受信して、該第１ＰＤＣＣＨの受信状況に応じて後続のランダムアクセス過程を実行し、該第１ＲＡ−ＲＮＴＩは該第１ＰＲＡＣＨリソースに基づいて取得したものである。
【００５６】
選択肢として、該第１ＲＡ−ＲＮＴＩは該第１ＰＲＡＣＨリソースに含まれる時間領域リソース、周波数領域リソース及びコード領域リソースのうちの少なくとも１つに基づいて取得したものであってもよい。
【００５７】
選択肢として、本願の実施例では、該第１ＰＤＣＣＨは第１指示情報を含み、該第１指示情報は該第１ＰＤＣＣＨのスケジューリングした第１物理ダウンリンク共有チャネル（ＰＤＳＣＨ）に第１ＲＡＲフォーマットのＲＡＲメッセージが含まれるかどうかを決定することに用いられる。
【００５８】
選択肢として、ＲＡＲフォーマットは該第１ＲＡＲフォーマットと第２ＲＡＲフォーマットを含み、該第１ＲＡＲフォーマットのＲＡＲメッセージはプリアンブルシーケンス及びアップリンク情報に対する応答であり、該第２ＲＡＲフォーマットのＲＡＲメッセージはプリアンブルシーケンスに対する応答である。
【００５９】
選択肢として、本願の実施例では、該第１ＰＤＣＣＨは第１指示情報を含み、該第１指示情報は該第１ＰＤＣＣＨのスケジューリングした第１ＰＤＳＣＨに第１ＲＡＲフォーマットのＲＡＲメッセージ又は第２ＲＡＲフォーマットのＲＡＲメッセージが含まれることを決定することに用いられる。
【００６０】
選択肢として、前記第１ＰＤＳＣＨには少なくとも１つのプリアンブルシーケンスに対する応答が含まれる。例えば、前記第１ＰＤＳＣＨには複数のプリアンブルシーケンスに対する応答が含まれる。
【００６１】
選択肢として、該第１ＲＡＲフォーマットのＲＡＲメッセージはアップリンク情報の一部又は全部の内容、プリアンブルシーケンス識別子、タイムアドバンスコマンド、アップリンクリソース割り当て、一時的ＲＮＴＩを含み、該プリアンブルシーケンス識別子で示されるプリアンブルシーケンス及び該アップリンク情報は端末装置がステップＳ２１０において送信した第１プリアンブルシーケンス及び第１アップリンク情報である。
【００６２】
選択肢として、該第２ＲＡＲフォーマットのＲＡＲメッセージはプリアンブルシーケンス識別子、タイムアドバンスコマンド、アップリンクリソース割り当て、一時的ＲＮＴＩを含む。
【００６３】
選択肢として、本願の実施例では、該第１ＰＤＣＣＨは更に、該端末装置が該第１ＰＲＡＣＨリソースに対応する第１ＰＵＣＣＨリソースを取得することを示すための第２指示情報を含む。例えば、該端末装置はネットワーク装置から送信された、プリアンブルシーケンスグループとＰＵＣＣＨリソースとの対応関係の複数の設定を示すための設定情報を受信することができ、該端末装置は該端末装置が該複数の設定関係のうちのどの関係を使用するかを示すための該第２指示情報を受信することができる。
【００６４】
注意されるように、該第１ＲＡＲフォーマットのＲＡＲメッセージはツーステップ・ランダムアクセスにおいてネットワーク装置がフィードバックしたランダムアクセス応答であり、該第２ＲＡＲフォーマットのＲＡＲメッセージはフォーステップ・ランダムアクセスにおいてネットワーク装置がフィードバックしたランダムアクセス応答である。
【００６５】
選択肢として、本願の実施例では、該端末装置が該第１ＰＤＣＣＨの受信状況に応じて後続のランダムアクセス過程を実行することは、具体的に以下の状況のうちの少なくとも１つを含んでもよい。
【００６６】
状況１
該端末装置は該第１ＰＤＣＣＨを正しく受信できない場合、該端末装置はランダムアクセス過程を改めて開始する。
【００６７】
なお、該端末装置が第１時間窓のみにおいて該第１ＰＤＣＣＨを受信し、即ち、該端末装置が該第１ＰＤＣＣＨを正しく受信できないことは、該端末装置が該第１時間窓内に該第１ＰＤＣＣＨを正しく受信できないと理解されてもよい。
【００６８】
該第１時間窓はネットワーク装置が端末装置に設定したものであってもよい。
【００６９】
状況２
該端末装置は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれないことを決定した場合、該端末装置はランダムアクセス過程を改めて開始する。
【００７０】
状況３
該端末装置は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれることを決定し、そして該第１ＰＤＣＣＨに該第１プリアンブルシーケンスグループ識別子が含まれる場合、該端末装置は該第１ＰＵＣＣＨリソースにおいて否定応答（ＮＡＣＫ、Ｎｅｇａｔｉｖｅ  Ａｃｋｎｏｗｌｅｄｇｅｍｅｎｔ）情報を送信する。
【００７１】
なお、該第１プリアンブルシーケンスグループ識別子は少なくとも該第１プリアンブルシーケンスを含む第１プリアンブルシーケンスグループを示すことに用いられ、該第１プリアンブルシーケンスグループは少なくとも１つのプリアンブルシーケンスを含む。極限状況において、１つのプリアンブルシーケンスは１つのＰＵＣＣＨリソースに対応する。
【００７２】
状況４
該端末装置は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれることを決定し、そして該第１ＰＤＣＣＨに該第１プリアンブルシーケンスグループ識別子が含まれない場合、該端末装置はランダムアクセス過程を改めて開始する。
【００７３】
状況５
該端末装置は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれることを決定し、そして該第１ＰＤＣＣＨには更に該第１ＰＤＳＣＨに該第１プリアンブルシーケンス及び／又は該第１アップリンク情報に対するＲＡＲメッセージが含まれる可能性があることを決定できる情報が含まれる場合、該端末装置は該第１ＰＵＣＣＨリソースにおいてＮＡＣＫ情報を送信する。
【００７４】
例示的に、該第１ＰＤＣＣＨに更に、該第１ＰＤＳＣＨに該第１プリアンブルシーケンス及び／又は該第１アップリンク情報に対するＲＡＲが含まれる可能性があることを決定できる情報が含まれることは、該第１ＰＤＣＣＨに第１プリアンブルシーケンスグループ識別子が含まれ、該第１ＰＤＣＣＨを介して該第１ＰＤＳＣＨに第１プリアンブルシーケンスグループにおける１つ又は複数のシーケンスに対するＲＡＲメッセージが含まれることを決定でき、該第１プリアンブルシーケンスが第１プリアンブルシーケンスグループに属し、このため、該第１ＰＤＳＣＨに該第１プリアンブルシーケンスに対するＲＡＲメッセージが含まれる可能性があるということであってもよい。理解されるように、該第１ＰＤＳＣＨに該第１プリアンブルシーケンスに対するＲＡＲメッセージが含まれない可能性もある（即ち、該第１ＰＤＳＣＨに該第１プリアンブルシーケンスグループにおける第１プリアンブルシーケンス以外の他の少なくとも１つのプリアンブルシーケンスに対するＲＡＲメッセージが含まれてもよい）。
【００７５】
状況６
該端末装置は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれることを決定し、そして該第１ＰＤＣＣＨには更に該第１ＰＤＳＣＨに該第１プリアンブルシーケンス及び／又は該第１アップリンク情報に対するＲＡＲメッセージが含まれないことを決定できる情報が含まれる場合、該端末装置はランダムアクセス過程を改めて開始する。
【００７６】
状況７
該端末装置は該第１ＰＤＣＣＨを正しく受信して、該第１ＰＤＳＣＨを正しく受信し、該第１ＰＤＳＣＨに該第１プリアンブルシーケンス及び／又は該第１アップリンク情報に対するＲＡＲメッセージが含まれない場合、該端末装置はランダムアクセス過程を改めて開始する。
【００７７】
状況８
該端末装置は該第１ＰＤＣＣＨを正しく受信して、該第１ＰＤＳＣＨを正しく受信し、該第１ＰＤＳＣＨに該第１プリアンブルシーケンスに対するＲＡＲメッセージが含まれ、且つ該第１プリアンブルシーケンスに対するＲＡＲメッセージが該第２ＲＡＲフォーマットである場合、該端末装置は該第１プリアンブルシーケンスに対するＲＡＲメッセージに基づいて第１ＰＵＳＣＨを伝送する。
【００７８】
状況９
該端末装置は該第１ＰＤＣＣＨを正しく受信して、該第１ＰＤＳＣＨを正しく受信し、該第１ＰＤＳＣＨに該第１プリアンブルシーケンス及び該第１アップリンク情報に対するＲＡＲメッセージが含まれ、且つ該第１プリアンブルシーケンス及び該第１アップリンク情報に対するＲＡＲメッセージが該第１ＲＡＲフォーマットである場合、該端末装置はランダムアクセス過程が完了することを決定する。
【００７９】
理解されるように、上記状況１〜９において、該第１指示情報が、該第１ＰＤＣＣＨのスケジューリングした該第１ＰＤＳＣＨに該第１ＲＡＲフォーマットのＲＡＲメッセージが含まれないことを決定することは、該第１指示情報が、該第１ＰＤＣＣＨのスケジューリングした該第１ＰＤＳＣＨに該第２ＲＡＲフォーマットのＲＡＲメッセージが含まれることを決定すると理解されてもよい。
【００８０】
理解されるように、上記状況８において、ツーステップ・ランダムアクセス過程において、ネットワーク装置がプリアンブルを正しく受信したがアップリンク情報を正しく受信できない場合、端末装置がネットワーク装置から送信されたＲＡＲメッセージを受信した後、ツーステップ・ランダムアクセス過程からフォーステップ・ランダムアクセス過程に戻ると更に見なされてもよい。
【００８１】
なお、上記状況１〜９において、該端末装置が該第１ＰＤＣＣＨを正しく受信できないことは、該第１ＰＤＣＣＨを受信しないと理解されてもよく、該端末装置が該第１ＰＤＣＣＨを受信したが該第１ＰＤＣＣＨの解析に失敗し、即ち該第１ＰＤＣＣＨに含まれる情報を取得できないと理解されてもよい。同様に、該端末装置が該第１ＰＤＳＣＨを正しく受信できないことは、該第１ＰＤＳＣＨを受信しないと理解されてもよく、該端末装置が該第１ＰＤＳＣＨを受信したが該第１ＰＤＳＣＨの解析に失敗し、即ち該第１ＰＤＳＣＨに含まれる情報を取得できないと理解されてもよい。理解されるように、端末装置が該第１ＰＤＣＣＨを正しく受信できない場合、該端末装置は該第１ＰＤＣＣＨのスケジューリングした該第１ＰＤＳＣＨを正しく受信できない。
【００８２】
選択肢として、上記状況１〜９において、該端末装置が改めて開始するランダムアクセス過程はフォーステップ・ランダムアクセス過程であってもよく、ツーステップ・ランダムアクセス過程であってもよい。
【００８３】
具体的に、端末装置は第１種類のＰＲＡＣＨリソースにおいてプリアンブルシーケンス及びアップリンク情報を送信し（ツーステップ・ランダムアクセス過程）、又は、第２種類のＰＲＡＣＨリソースにおいてプリアンブルシーケンスを送信してもよい（フォーステップ・ランダムアクセス過程）。
【００８４】
例えば、該端末装置は第２ＰＲＡＣＨリソースにおいて第２プリアンブルシーケンス及び第２アップリンク情報を送信し（ツーステップ・ランダムアクセス過程）、又は、該端末装置は第３ＰＲＡＣＨリソースにおいて第３プリアンブルシーケンスを送信する（フォーステップ・ランダムアクセス過程）。
【００８５】
理解されるように、ツーステップ・ランダムアクセス過程の遅延はフォーステップ・ランダムアクセス過程より小さい。
【００８６】
従って、本願の実施例では、端末装置はＭＳＧ  １において第１ＰＲＡＣＨリソースにおいて第１プリアンブルシーケンス及び第１アップリンク情報を送信し、ＭＳＧ  ２において第１ＲＡ−ＲＮＴＩによりスクランブルした第１ＰＤＣＣＨを受信する。これにより、端末装置は第１ＰＤＣＣＨの受信状況に応じて後続のランダムアクセス過程を実行することができ、更にツーステップ・ランダムアクセスを実現し、ランダムアクセス過程の遅延を減少させる。
【００８７】
図３は本願の実施例に係るランダムアクセス方法３００の模式的なフローチャートであり、図３に示すように、該方法３００は以下のステップＳ３１０とＳ３２０を含んでもよい。
【００８８】
Ｓ３１０、ネットワーク装置は第１ＰＲＡＣＨリソースにおいて、端末装置から送信された第１プリアンブルシーケンス及び／又は第１アップリンク情報を受信する。
【００８９】
選択肢として、本願の実施例では、該ネットワーク装置がステップＳ３１０を実行する前に、該ネットワーク装置はプリアンブルシーケンスグループとＰＵＣＣＨリソースとの対応関係を示すための設定情報を該端末装置に送信する。
【００９０】
Ｓ３２０、該ネットワーク装置は該第１プリアンブルシーケンス及び該第１アップリンク情報の受信状況に応じて後続のランダムアクセス過程を実行する。
【００９１】
選択肢として、該ネットワーク装置が該第１プリアンブルシーケンス及び／又は該第１アップリンク情報を受信した場合、該ネットワーク装置は該端末装置に第１ＲＡ−ＲＮＴＩによりスクランブルした第１ＰＤＣＣＨを送信し、該第１ＲＡ−ＲＮＴＩは該第１ＰＲＡＣＨリソースに基づいて取得したものである。
【００９２】
選択肢として、該第１ＲＡ−ＲＮＴＩは該第１ＰＲＡＣＨリソースに含まれる時間領域リソース、周波数領域リソース及びコード領域リソースのうちの少なくとも１つに基づいて取得したものであってもよい。
【００９３】
選択肢として、本願の実施例では、該第１ＰＤＣＣＨは第１指示情報を含み、該第１指示情報は該第１ＰＤＣＣＨのスケジューリングした第１ＰＤＳＣＨに第１ＲＡＲフォーマットのＲＡＲメッセージが含まれるかどうかを決定することに用いられ、ＲＡＲフォーマットは該第１ＲＡＲフォーマットと第２ＲＡＲフォーマットを含み、該第１ＲＡＲフォーマットのＲＡＲメッセージはプリアンブルシーケンス及びアップリンク情報に対する応答であり、該第２ＲＡＲフォーマットのＲＡＲメッセージはプリアンブルシーケンスに対する応答である。
【００９４】
選択肢として、本願の実施例では、該ネットワーク装置が該第１プリアンブルシーケンス及び該第１アップリンク情報の受信状況に応じて後続のランダムアクセス過程を実行することは、具体的に以下の状況のうちの少なくとも１つを含んでもよい。
【００９５】
状況Ａ
該ネットワーク装置が該第１プリアンブルシーケンス及び該第１アップリンク情報を正しく受信できない場合、該ネットワーク装置はいかなる処理を行わなくてもよい。
【００９６】
状況Ｂ
該ネットワーク装置が該第１プリアンブルシーケンスを正しく受信したが該第１アップリンク情報を正しく受信できない場合、該ネットワーク装置は該端末装置に該第１ＲＡ−ＲＮＴＩによりスクランブルした該第１ＰＤＣＣＨを送信し、該第１ＰＤＣＣＨに含まれる該第１指示情報は該第１ＰＤＣＣＨのスケジューリングした該第１ＰＤＳＣＨに該第１ＲＡＲフォーマットのＲＡＲメッセージが含まれないことを決定する。
【００９７】
理解されるように、上記状況Ｂにおいて、該第１指示情報が、該第１ＰＤＣＣＨのスケジューリングした該第１ＰＤＳＣＨに該第１ＲＡＲフォーマットのＲＡＲメッセージが含まれないことを決定することは、該第１指示情報が、該第１ＰＤＣＣＨのスケジューリングした該第１ＰＤＳＣＨに該第２ＲＡＲフォーマットのＲＡＲメッセージが含まれることを決定すると理解されてもよい。
【００９８】
状況Ｃ
該ネットワーク装置が該第１プリアンブルシーケンスを正しく受信して、該第１アップリンク情報を正しく受信した場合、該ネットワーク装置は該端末装置に該第１ＲＡ−ＲＮＴＩによりスクランブルした該第１ＰＤＣＣＨを送信し、該第１ＰＤＣＣＨに含まれる該第１指示情報は該第１ＰＤＣＣＨのスケジューリングした該第１ＰＤＳＣＨに該第１ＲＡＲフォーマットのＲＡＲメッセージが含まれることを決定する。
【００９９】
更に、上記状況Ｃにおいて、該ネットワーク装置が該第１ＰＤＣＣＨを送信した後、該ネットワーク装置は該第１プリアンブルシーケンスに対応する第１プリアンブルシーケンスグループ識別子及び該対応関係に基づいて第１ＰＵＣＣＨリソースを決定し、且つ該第１ＰＵＣＣＨリソースにおいて、ＮＡＣＫ情報があるかどうかを監視する。更に、該ネットワーク装置が該第１ＰＵＣＣＨリソースにおいてＮＡＣＫ情報を監視した場合、該ネットワーク装置は第２ＰＤＳＣＨリソースにおいて少なくとも該第１プリアンブルシーケンスに対するＲＡＲメッセージを再送する。
【０１００】
なお、上記状況Ａ〜Ｃにおいて、該ネットワーク装置が該第１アップリンク情報を正しく受信できないことは、該第１アップリンク情報を受信しないと理解されてもよく、該端末装置が該第１アップリンク情報を受信したが該第１アップリンク情報の解析に失敗し、即ち該第１アップリンク情報に含まれる情報を取得できないと理解されてもよい。
【０１０１】
理解されるように、ランダムアクセス方法３００におけるステップについては、ランダムアクセス方法２００における対応ステップを参照してもよい。簡潔のために、ここで詳細な説明は省略する。
【０１０２】
従って、ツーステップ・ランダムアクセス過程において、ネットワーク装置はＭＳＧ  １において第１ＰＲＡＣＨリソースにおいて第１プリアンブルシーケンス及び／又は第１アップリンク情報を受信する。これにより、第１プリアンブルシーケンス及び第１アップリンク情報の受信状況に応じて後続のランダムアクセス過程を実行することができ、更にツーステップ・ランダムアクセスを実現し、ランダムアクセス過程の遅延を減少させる。
【０１０３】
図４は本願の実施例に係る端末装置４００の模式的なブロック図を示す。図４に示すように、該端末装置４００は通信ユニット４１０と処理ユニット４２０を備え、
該通信ユニット４１０は、第１ＰＲＡＣＨリソースにおいて第１プリアンブルシーケンス及び第１アップリンク情報を送信することに用いられ、
該通信ユニット４１０は更に、第１ＲＡ−ＲＮＴＩによりスクランブルした第１ＰＤＣＣＨを受信することに用いられ、該第１ＲＡ−ＲＮＴＩは該第１ＰＲＡＣＨリソースに基づいて取得したものであり、
該処理ユニット４２０は、該第１ＰＤＣＣＨの受信状況に応じて後続のランダムアクセス過程を実行することに用いられる。
【０１０４】
選択肢として、該第１ＰＤＣＣＨは第１指示情報を含み、該第１指示情報は該第１ＰＤＣＣＨのスケジューリングした第１ＰＤＳＣＨに第１ＲＡＲフォーマットのＲＡＲメッセージが含まれるかどうかを決定することに用いられ、ＲＡＲフォーマットは該第１ＲＡＲフォーマットと第２ＲＡＲフォーマットを含み、該第１ＲＡＲフォーマットのＲＡＲメッセージはプリアンブルシーケンス及びアップリンク情報に対する応答であり、該第２ＲＡＲフォーマットのＲＡＲメッセージはプリアンブルシーケンスに対する応答である。
【０１０５】
選択肢として、該通信ユニット４１０は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれないことを決定した場合、
該処理ユニット４２０は具体的に、ランダムアクセス過程を改めて開始することに用いられる。
【０１０６】
選択肢として、該通信ユニット４１０が該第１プリアンブルシーケンス及び該第１アップリンク情報を送信する前に、該処理ユニット４２０は更に該第１ＰＲＡＣＨリソースに対応する第１ＰＵＣＣＨリソースを取得することに用いられる。
【０１０７】
選択肢として、該処理ユニット４２０は具体的に、
ネットワーク装置から送信された設定情報を受信するように該通信ユニット４１０を制御し、該設定情報はプリアンブルシーケンスグループとＰＵＣＣＨリソースとの対応関係を示すことに用いられることと、
該第１プリアンブルシーケンスに対応する第１プリアンブルシーケンスグループ識別子及び該対応関係に基づいて該第１ＰＵＣＣＨリソースを決定することと、に用いられる。
【０１０８】
選択肢として、該通信ユニット４１０は該第１ＰＤＣＣＨを正しく受信したが、該第１ＰＤＳＣＨを正しく受信できず、且つ該第１指示情報は該第１ＰＤＣＣＨのスケジューリングした該第１ＰＤＳＣＨに該第１ＲＡＲフォーマットのＲＡＲメッセージが含まれることを決定した場合、
該処理ユニット４２０は具体的に、
該第１ＰＤＣＣＨに該第１プリアンブルシーケンスグループ識別子が含まれる場合、該第１ＰＵＣＣＨリソースにおいて否定応答（ＮＡＣＫ）情報を送信すること、及び／又は、
該第１ＰＤＣＣＨに該第１プリアンブルシーケンスグループ識別子が含まれない場合、ランダムアクセス過程を改めて開始することに用いられる。
【０１０９】
選択肢として、該通信ユニット４１０が該第１ＰＤＣＣＨを正しく受信して、該第１ＰＤＳＣＨを正しく受信した場合、
該処理ユニット４２０は具体的に、
該第１ＰＤＳＣＨに該第１プリアンブルシーケンス及び／又は該第１アップリンク情報に対するＲＡＲメッセージが含まれない場合、ランダムアクセス過程を改めて開始すること、及び／又は、
該第１ＰＤＳＣＨに該第１プリアンブルシーケンスに対するＲＡＲメッセージが含まれ、且つ該第１プリアンブルシーケンスに対するＲＡＲメッセージが該第２ＲＡＲフォーマットである場合、該第１プリアンブルシーケンスに対するＲＡＲメッセージに基づいて第１物理アップリンク共有チャネル（ＰＵＳＣＨ）を伝送すること、及び／又は、
該第１ＰＤＳＣＨに該第１プリアンブルシーケンス及び該第１アップリンク情報に対するＲＡＲメッセージが含まれ、且つ該第１プリアンブルシーケンス及び該第１アップリンク情報に対するＲＡＲメッセージが該第１ＲＡＲフォーマットである場合、ランダムアクセス過程が完了することを決定することに用いられる。
【０１１０】
選択肢として、該処理ユニット４２０は具体的に、該通信ユニット４１０が該第１ＰＤＣＣＨを正しく受信できない場合、ランダムアクセス過程を改めて開始することに用いられる。
【０１１１】
選択肢として、該処理ユニット４２０は具体的に、第２ＰＲＡＣＨリソースにおいて第２プリアンブルシーケンス及び第２アップリンク情報を送信し、又は、第３ＰＲＡＣＨリソースにおいて第３プリアンブルシーケンスを送信することに用いられる。
【０１１２】
理解されるように、本願の実施例に係る端末装置４００は本願の方法実施例の端末装置に対応してもよく、且つ端末装置４００の各ユニットの上記及び他の操作及び／又は機能はそれぞれ図２に示される方法２００における端末装置の対応プロセスを実現するためのものである。簡潔のために、ここで詳細な説明は省略する。
【０１１３】
図５は本願の実施例に係るネットワーク装置５００の模式的なブロック図を示す。図５に示すように、該ネットワーク装置５００は、
第１ＰＲＡＣＨリソースにおいて、端末装置から送信された第１プリアンブルシーケンス及び／又は第１アップリンク情報を受信することに用いられる通信ユニット５１０と、
該第１プリアンブルシーケンス及び該第１アップリンク情報の受信状況に応じて後続のランダムアクセス過程を実行することに用いられる処理ユニット５２０と、を備える。
【０１１４】
選択肢として、該通信ユニット５１０が該第１プリアンブルシーケンス及び／又は該第１アップリンク情報を受信した場合、該通信ユニット５１０は更に該端末装置に第１ＲＡ−ＲＮＴＩによりスクランブルした第１ＰＤＣＣＨを送信することに用いられ、該第１ＲＡ−ＲＮＴＩは該第１ＰＲＡＣＨリソースに基づいて取得したものである。
【０１１５】
選択肢として、該第１ＰＤＣＣＨは第１指示情報を含み、該第１指示情報は該第１ＰＤＣＣＨのスケジューリングした第１ＰＤＳＣＨに第１ＲＡＲフォーマットのＲＡＲメッセージが含まれるかどうかを決定することに用いられ、ＲＡＲフォーマットは該第１ＲＡＲフォーマットと第２ＲＡＲフォーマットを含み、該第１ＲＡＲフォーマットのＲＡＲメッセージはプリアンブルシーケンス及びアップリンク情報に対する応答であり、該第２ＲＡＲフォーマットのＲＡＲメッセージはプリアンブルシーケンスに対する応答である。
【０１１６】
選択肢として、該通信ユニット５１０は該第１プリアンブルシーケンスを正しく受信したが、該第１アップリンク情報を正しく受信できない場合、該第１指示情報は該第１ＰＤＣＣＨのスケジューリングした該第１ＰＤＳＣＨに該第１ＲＡＲフォーマットのＲＡＲメッセージが含まれないことを決定する。
【０１１７】
選択肢として、該通信ユニット５１０が該第１プリアンブルシーケンス及び／又は該第１アップリンク情報を受信する前に、該通信ユニット５１０は更に、プリアンブルシーケンスグループとＰＵＣＣＨリソースとの対応関係を示すための設定情報を該端末装置に送信することに用いられる。
【０１１８】
選択肢として、該通信ユニット５１０が該第１プリアンブルシーケンスを正しく受信して、該第１アップリンク情報を正しく受信した場合、該第１指示情報は該第１ＰＤＣＣＨのスケジューリングした該第１ＰＤＳＣＨに該第１ＲＡＲフォーマットのＲＡＲメッセージが含まれることを決定する。
【０１１９】
選択肢として、該処理ユニット５２０は更に、該第１プリアンブルシーケンスに対応する第１プリアンブルシーケンスグループ識別子及び該対応関係に基づいて第１ＰＵＣＣＨリソースを決定することに用いられ、
該通信ユニット５１０は更に、該第１ＰＵＣＣＨリソースにおいて、ＮＡＣＫ情報があるかどうかを監視することに用いられる。
【０１２０】
選択肢として、該通信ユニット５１０が該第１ＰＵＣＣＨリソースにおいてＮＡＣＫ情報を監視した場合、該通信ユニット５１０は更に、第２ＰＤＳＣＨリソースにおいて少なくとも該第１プリアンブルシーケンスに対するＲＡＲメッセージを再送することに用いられる。
【０１２１】
選択肢として、該通信ユニット５１０が該第１プリアンブルシーケンス及び該第１アップリンク情報を正しく受信できない場合、該ネットワーク装置５００は処理を行わない。
【０１２２】
理解されるように、本願の実施例に係るネットワーク装置５００は本願の方法実施例のネットワーク装置に対応してもよく、且つネットワーク装置５００の各ユニットの上記及び他の操作及び／又は機能はそれぞれ図３に示される方法３００におけるネットワーク装置の対応プロセスを実現するためのものである。簡潔のために、ここで詳細な説明は省略する。
【０１２３】
図６は本願の実施例に係る通信装置６００の構造模式図である。図６に示される通信装置６００はプロセッサ６１０を備え、プロセッサ６１０はメモリからコンピュータプログラムを呼び出して実行して、本願の実施例の方法を実現することができる。
【０１２４】
選択肢として、図６に示すように、通信装置６００は更にメモリ６２０を備えてもよい。プロセッサ６１０はメモリ６２０からコンピュータプログラムを呼び出して実行して、本願の実施例の方法を実現することができる。
【０１２５】
メモリ６２０はプロセッサ６１０から独立した１つの独立したデバイスであってもよく、プロセッサ６１０に統合されてもよい。
【０１２６】
選択肢として、図６に示すように、通信装置６００は更に送受信機６３０を備えてもよく、プロセッサ６１０は該送受信機６３０と他の装置との通信を制御することができ、具体的に、他の装置に情報又はデータを送信し、あるいは他の装置から送信された情報又はデータを受信することができる。
【０１２７】
送受信機６３０は送信機と受信機を備えてもよい。送受信機６３０は更にアンテナを備えてもよく、アンテナの数が１つ又は複数であってもよい。
【０１２８】
選択肢として、該通信装置６００は具体的に本願の実施例のネットワーク装置であってもよく、且つ該通信装置６００は本願の実施例の各方法におけるネットワーク装置による対応プロセスを実現することができる。簡潔のために、ここで詳細な説明は省略する。
【０１２９】
選択肢として、該通信装置６００は具体的に本願の実施例のモバイル端末／端末装置であってもよく、且つ該通信装置６００は本願の実施例の各方法におけるモバイル端末／端末装置による対応プロセスを実現することができる。簡潔のために、ここで詳細な説明は省略する。
【０１３０】
図７は本願の実施例のチップの構造模式図である。図７に示されるチップ７００はプロセッサ７１０を備え、プロセッサ７１０はメモリからコンピュータプログラムを呼び出して実行して、本願の実施例の方法を実現することができる。
【０１３１】
選択肢として、図７に示すように、チップ７００は更にメモリ７２０を備えてもよい。プロセッサ７１０はメモリ７２０からコンピュータプログラムを呼び出して実行して、本願の実施例の方法を実現することができる。
【０１３２】
メモリ７２０はプロセッサ７１０から独立した１つの独立したデバイスであってもよく、プロセッサ７１０に統合されてもよい。
【０１３３】
選択肢として、該チップ７００は更に入力インターフェース７３０を備えてもよい。プロセッサ７１０は該入力インターフェース７３０と他の装置又はチップとの通信を制御することができ、具体的に、他の装置又はチップから送信された情報又はデータを取得することができる。
【０１３４】
選択肢として、該チップ７００は更に出力インターフェース７４０を備えてもよい。プロセッサ７１０は該出力インターフェース７４０と他の装置又はチップとの通信を制御することができ、具体的に、他の装置又はチップに情報又はデータを出力することができる。
【０１３５】
選択肢として、該チップは本願の実施例のネットワーク装置に適用されてもよく、且つ該チップは本願の実施例の各方法におけるネットワーク装置による対応プロセスを実現することができる。簡潔のために、ここで詳細な説明は省略する。
【０１３６】
選択肢として、該チップは本願の実施例のモバイル端末／端末装置に適用されてもよく、且つ該チップは本願の実施例の各方法におけるモバイル端末／端末装置による対応プロセスを実現することができる。簡潔のために、ここで詳細な説明は省略する。
【０１３７】
理解されるように、本願の実施例に言及したチップは更にシステムレベルチップ、システムチップ、チップシステム又はシステムオンチップ等と称されてもよい。
【０１３８】
図８は本願の実施例に係る通信システム８００の模式的なブロック図である。図８に示すように、該通信システム８００は端末装置８１０及びネットワーク装置８２０を備える。
【０１３９】
該端末装置８１０は上記方法における端末装置による対応機能を実現することに用いられてもよく、該ネットワーク装置８２０は上記方法におけるネットワーク装置による対応機能を実現することに用いられてもよい。簡潔のために、ここで詳細な説明は省略する。
【０１４０】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１４１】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるように、本明細書に説明されるシステム及び方法のメモリはこれらのメモリ及び任意の他の適切なタイプのメモリを含むが、それらに限らないように意図されるものである。
【０１４２】
理解されるように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例のメモリはこれらのメモリ及び任意の他の適切なタイプのメモリを含むが、それらに限らないように意図されるものである。
【０１４３】
本願の実施例は更にコンピュータ可読記憶媒体を提供し、該コンピュータ可読記憶媒体はコンピュータプログラムを記憶することに用いられる。
【０１４４】
選択肢として、該コンピュータ可読記憶媒体は本願の実施例のネットワーク装置に適用されてもよく、且つ該コンピュータプログラムによってコンピュータが本願の実施例の各方法におけるネットワーク装置による対応プロセスを実行する。簡潔のために、ここで詳細な説明は省略する。
【０１４５】
選択肢として、該コンピュータ可読記憶媒体は本願の実施例のモバイル端末／端末装置に適用されてもよく、且つ該コンピュータプログラムによってコンピュータが本願の実施例の各方法におけるモバイル端末／端末装置による対応プロセスを実行する。簡潔のために、ここで詳細な説明は省略する。
【０１４６】
本願の実施例は更にコンピュータプログラム製品を提供し、該コンピュータプログラム製品はコンピュータプログラム命令を含む。
【０１４７】
選択肢として、該コンピュータプログラム製品は本願の実施例のネットワーク装置に適用されてもよく、且つ該コンピュータプログラム命令によってコンピュータが本願の実施例の各方法におけるネットワーク装置による対応プロセスを実行する。簡潔のために、ここで詳細な説明は省略する。
【０１４８】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置による対応プロセスを実行する。簡潔のために、ここで詳細な説明は省略する。
【０１４９】
本願の実施例は更にコンピュータプログラムを提供する。
【０１５０】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置による対応プロセスを実行する。簡潔のために、ここで詳細な説明は省略する。
【０１５１】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置による対応プロセスを実行する。簡潔のために、ここで詳細な説明は省略する。
【０１５２】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１５３】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０１５４】
本願に係るいくつかの実施例では、理解されるように、開示されるシステム、装置及び方法は他の方式で実現されてもよい。例えば、以上に説明される装置実施例は模式的なものに過ぎず、例えば、前記ユニットの区別は論理機能上の区別に過ぎず、実際に実現するとき、他の区別方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１５５】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０１５６】
また、本願の各実施例では、各機能ユニットは１つの処理ユニットに統合されてもよく、各ユニットは独立して物理的に存在してもよく、２つ以上のユニットは１つのユニットに統合されてもよい。
【０１５７】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１５８】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2022502877.tif 000003
【図２】
2022502877.tif 000004
【図３】
2022502877.tif 000005
【図４】
2022502877.tif 000006
【図５】
2022502877.tif 000007
【図６】
2022502877.tif 000008
【図７】
2022502877.tif 000009
【図８】
2022502877.tif 000010
【手続補正書】
【提出日】令和3年7月28日(2021.7.28)
【手続補正１】
【補正対象書類名】明細書
【補正対象項目名】００２２
【補正方法】変更
【補正の内容】
【００２２】
本願の実施例は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム、進化型長期発展（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムが進化したシステム、アンライセンススペクトラムにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンススペクトラムにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）システム、ワイヤレスフィデリティ（ＷｉＦｉ、Ｗｉｒｅｌｅｓｓ  Ｆｉｄｅｌｉｔｙ）システム、次世代通信システム又は他の通信システム等に適用されてもよい。
【手続補正２】
【補正対象書類名】明細書
【補正対象項目名】００３０
【補正方法】変更
【補正の内容】
【００３０】
本願はネットワーク装置及び端末装置と組み合わせて各実施例を説明するが、端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイス等と称されてもよい。端末装置はＷＬＡＮにおけるステーション（ＳＴ、ＳＴＡＴＩＯＮ）であってもよく、セルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）装置、無線通信機能を有する携帯端末、コンピューティングデバイス又は無線モデムに接続される他の処理装置、車載装置、ウェアラブル装置及び次世代通信システム、例えばＮＲネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【手続補正３】
【補正対象書類名】明細書
【補正対象項目名】００７４
【補正方法】変更
【補正の内容】
【００７４】
例示的に、該第１ＰＤＣＣＨに更に、該第１ＰＤＳＣＨに該第１プリアンブルシーケンス及び／又は該第１アップリンク情報に対するＲＡＲ情報が含まれる可能性があることを決定できる情報が含まれることは、該第１ＰＤＣＣＨに第１プリアンブルシーケンスグループ識別子が含まれ、該第１ＰＤＣＣＨを介して該第１ＰＤＳＣＨに第１プリアンブルシーケンスグループにおける１つ又は複数のシーケンスに対するＲＡＲメッセージが含まれることを決定でき、該第１プリアンブルシーケンスが第１プリアンブルシーケンスグループに属し、このため、該第１ＰＤＳＣＨに該第１プリアンブルシーケンスに対するＲＡＲメッセージが含まれる可能性があるということであってもよい。理解されるように、該第１ＰＤＳＣＨに該第１プリアンブルシーケンスに対するＲＡＲメッセージが含まれない可能性もある（即ち、該第１ＰＤＳＣＨに該第１プリアンブルシーケンスグループにおける第１プリアンブルシーケンス以外の他の少なくとも１つのプリアンブルシーケンスに対するＲＡＲメッセージが含まれてもよい）。
【手続補正４】
【補正対象書類名】特許請求の範囲
【補正対象項目名】全文
【補正方法】変更
【補正の内容】
【特許請求の範囲】
【請求項１】
ランダムアクセス方法であって、
端末装置が第１物理ランダムアクセスチャネル（ＰＲＡＣＨ）リソースにおいて、第１プリアンブルシーケンス及び第１アップリンク情報を送信することと、
前記端末装置が第１ランダムアクセス無線ネットワーク一時的識別子（ＲＡ−ＲＮＴＩ）によりスクランブルした第１物理ダウンリンク制御チャネル（ＰＤＣＣＨ）を受信して、前記第１ＰＤＣＣＨの受信状況に応じて後続のランダムアクセス過程を実行し、前記第１ＲＡ−ＲＮＴＩは前記第１ＰＲＡＣＨリソースに基づいて取得したものであることと、を含むことを特徴とするランダムアクセス方法。
【請求項２】
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする請求項１に記載の方法。
【請求項３】
前記端末装置は前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれないことを決定した場合、
前記端末装置が前記第１ＰＤＣＣＨの受信状況に応じて後続のランダムアクセス過程を実行することは、
前記端末装置がランダムアクセス過程を改めて開始することを含み、
或いは、
前記端末装置は前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれることを決定した場合、
前記端末装置が前記第１ＰＤＣＣＨの受信状況に応じて後続のランダムアクセス過程を実行することは、
前記第１ＰＤＣＣＨに前記第１プリアンブルシーケンスグループ識別子が含まれる場合、前記端末装置が前記第１ＰＵＣＣＨリソースにおいて否定応答（ＮＡＣＫ）情報を送信すること、及び／又は、
前記第１ＰＤＣＣＨに前記第１プリアンブルシーケンスグループ識別子が含まれない場合、前記端末装置がランダムアクセス過程を改めて開始することを含むことを特徴とする請求項２に記載の方法。
【請求項４】
前記端末装置が前記第１プリアンブルシーケンス及び前記第１アップリンク情報を送信する前に、前記方法は更に、
前記端末装置が前記第１ＰＲＡＣＨリソースに対応する第１物理アップリンク制御チャネル（ＰＵＣＣＨ）リソースを取得することを含み、
前記端末装置が前記第１ＰＲＡＣＨリソースに対応する第１ＰＵＣＣＨリソースを取得することは、
前記端末装置がネットワーク装置から送信された、プリアンブルシーケンスグループとＰＵＣＣＨリソースとの対応関係を示すための設定情報を受信することと、
前記端末装置が前記第１プリアンブルシーケンスに対応する第１プリアンブルシーケンスグループ識別子及び前記対応関係に基づいて、前記第１ＰＵＣＣＨリソースを決定することと、を含むことを特徴とする請求項２又は３に記載の方法。
【請求項５】
前記端末装置は前記第１ＰＤＣＣＨを正しく受信して、前記第１ＰＤＳＣＨを正しく受信した場合、
前記端末装置が前記第１ＰＤＣＣＨの受信状況に応じて後続のランダムアクセス過程を実行することは、
前記第１ＰＤＳＣＨに前記第１プリアンブルシーケンス及び／又は前記第１アップリンク情報に対するＲＡＲメッセージが含まれない場合、前記端末装置がランダムアクセス過程を改めて開始すること、及び／又は、
前記第１ＰＤＳＣＨに前記第１プリアンブルシーケンスに対するＲＡＲメッセージが含まれ、且つ前記第１プリアンブルシーケンスに対するＲＡＲメッセージが前記第２ＲＡＲフォーマットである場合、前記端末装置が前記第１プリアンブルシーケンスに対するＲＡＲメッセージに基づいて第１物理アップリンク共有チャネル（ＰＵＳＣＨ）を伝送すること、及び／又は、
前記第１ＰＤＳＣＨに前記第１プリアンブルシーケンス及び前記第１アップリンク情報に対するＲＡＲメッセージが含まれ、且つ前記第１プリアンブルシーケンス及び前記第１アップリンク情報に対するＲＡＲメッセージが前記第１ＲＡＲフォーマットである場合、ランダムアクセス過程が完了することを含むことを特徴とする請求項２〜４のいずれか１項に記載の方法。
【請求項６】
前記端末装置が前記第１ＰＤＣＣＨの受信状況に応じて後続のランダムアクセス過程を実行することは、
前記端末装置が前記第１ＰＤＣＣＨを正しく受信できない場合、前記端末装置がランダムアクセス過程を改めて開始することを含むことを特徴とする請求項１〜５のいずれか１項に記載の方法。
【請求項７】
前記端末装置がランダムアクセス過程を改めて開始することは、
前記端末装置が第２ＰＲＡＣＨリソースにおいて第２プリアンブルシーケンス及び第２アップリンク情報を送信し、又は、前記端末装置が第３ＰＲＡＣＨリソースにおいて第３プリアンブルシーケンスを送信することを含むことを特徴とする請求項３、５又は６に記載の方法。
【請求項８】
ランダムアクセス方法であって、
ネットワーク装置が第１物理ランダムアクセスチャネル（ＰＲＡＣＨ）リソースにおいて、端末装置から送信された第１プリアンブルシーケンス及び／又は第１アップリンク情報を受信することと、
前記ネットワーク装置が前記第１プリアンブルシーケンス及び前記第１アップリンク情報の受信状況に応じて、後続のランダムアクセス過程を実行することと、を含むことを特徴とするランダムアクセス方法。
【請求項９】
前記ネットワーク装置が前記第１プリアンブルシーケンス及び／又は前記第１アップリンク情報を受信した場合、前記方法は更に、
前記ネットワーク装置が前記端末装置に第１ランダムアクセス無線ネットワーク一時的識別子（ＲＡ−ＲＮＴＩ）によりスクランブルした第１物理ダウンリンク制御チャネル（ＰＤＣＣＨ）を送信し、前記第１ＲＡ−ＲＮＴＩは前記第１ＰＲＡＣＨリソースに基づいて取得したものであることを含み、
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする請求項８に記載の方法。
【請求項１０】
前記ネットワーク装置が前記第１プリアンブルシーケンスを正しく受信したが、前記第１アップリンク情報を正しく受信できない場合、前記第１指示情報は前記第１ＰＤＣＣＨがスケジューリングした前記第１ＰＤＳＣＨに、前記第１ＲＡＲフォーマットのＲＡＲメッセージが含まれないことを決定し、
或いは、
前記ネットワーク装置が前記第１プリアンブルシーケンスを正しく受信して、前記第１アップリンク情報を正しく受信した場合、前記第１指示情報は前記第１ＰＤＣＣＨがスケジューリングした前記第１ＰＤＳＣＨに、前記第１ＲＡＲフォーマットのＲＡＲメッセージが含まれることを決定することを特徴とする請求項９に記載の方法。
【請求項１１】
前記ネットワーク装置が前記第１プリアンブルシーケンス及び／又は前記第１アップリンク情報を受信する前に、前記方法は更に、
前記ネットワーク装置が、プリアンブルシーケンスグループとＰＵＣＣＨリソースとの対応関係を示すための設定情報を前記端末装置に送信することを含むことを特徴とする請求項９に記載の方法。
【請求項１２】
前記方法は更に、
前記ネットワーク装置が、前記第１プリアンブルシーケンスに対応する第１プリアンブルシーケンスグループ識別子及び前記対応関係に基づいて、第１物理アップリンク制御チャネル（ＰＵＣＣＨ）リソースを決定することと、
前記ネットワーク装置が前記第１ＰＵＣＣＨリソースにおいて、否定応答（ＮＡＣＫ）情報があるかどうかを監視することと、を含み、
前記ネットワーク装置が前記第１ＰＵＣＣＨリソースにおいてＮＡＣＫ情報を監視した場合、前記方法は更に、
前記ネットワーク装置が第２ＰＤＳＣＨリソースにおいて、少なくとも前記第１プリアンブルシーケンスに対するＲＡＲメッセージを再送することを含むことを特徴とする請求項１０に記載の方法。
【請求項１３】
前記ネットワーク装置が前記第１プリアンブルシーケンス及び前記第１アップリンク情報を正しく受信できない場合、前記ネットワーク装置は処理を行わないことを特徴とする請求項８〜１２のいずれか１項に記載の方法。
【請求項１４】
端末装置であって、通信ユニットと処理ユニットを備え、
前記通信ユニットは、第１物理ランダムアクセスチャネル（ＰＲＡＣＨ）リソースにおいて第１プリアンブルシーケンス及び第１アップリンク情報を送信することに用いられ、
前記通信ユニットは更に、第１ランダムアクセス無線ネットワーク一時的識別子（ＲＡ−ＲＮＴＩ）によりスクランブルした第１物理ダウンリンク制御チャネル（ＰＤＣＣＨ）を受信することに用いられ、前記第１ＲＡ−ＲＮＴＩは前記第１ＰＲＡＣＨリソースに基づいて取得したものであり、
前記処理ユニットは、前記第１ＰＤＣＣＨの受信状況に応じて後続のランダムアクセス過程を実行することに用いられ、
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であることを特徴とする端末装置。
【請求項１５】
前記通信ユニットは前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれないことを決定した場合、
前記処理ユニットは具体的に、ランダムアクセス過程を改めて開始することに用いられ、
或いは、
前記通信ユニットは前記第１ＰＤＣＣＨを正しく受信したが、前記第１ＰＤＳＣＨを正しく受信できず、且つ前記第１指示情報は前記第１ＰＤＣＣＨがスケジューリングした前記第１ＰＤＳＣＨに前記第１ＲＡＲフォーマットのＲＡＲメッセージが含まれることを決定した場合、
前記処理ユニットは具体的に、
前記第１ＰＤＣＣＨに前記第１プリアンブルシーケンスグループ識別子が含まれる場合、前記第１ＰＵＣＣＨリソースにおいて否定応答（ＮＡＣＫ）情報を送信すること、及び／又は、
前記第１ＰＤＣＣＨに前記第１プリアンブルシーケンスグループ識別子が含まれない場合、ランダムアクセス過程を改めて開始することに用いられることを特徴とする請求項１４に記載の端末装置。
【請求項１６】
前記通信ユニットが前記第１ＰＤＣＣＨを正しく受信して、前記第１ＰＤＳＣＨを正しく受信した場合、
前記処理ユニットは具体的に、
前記第１ＰＤＳＣＨに前記第１プリアンブルシーケンス及び／又は前記第１アップリンク情報に対するＲＡＲメッセージが含まれない場合、ランダムアクセス過程を改めて開始すること、及び／又は、
前記第１ＰＤＳＣＨに前記第１プリアンブルシーケンスに対するＲＡＲメッセージが含まれ、且つ前記第１プリアンブルシーケンスに対するＲＡＲメッセージが前記第２ＲＡＲフォーマットである場合、前記第１プリアンブルシーケンスに対するＲＡＲメッセージに基づいて第１物理アップリンク共有チャネル（ＰＵＳＣＨ）を伝送すること、及び／又は、
前記第１ＰＤＳＣＨに前記第１プリアンブルシーケンス及び前記第１アップリンク情報に対するＲＡＲメッセージが含まれ、且つ前記第１プリアンブルシーケンス及び前記第１アップリンク情報に対するＲＡＲメッセージが前記第１ＲＡＲフォーマットである場合、ランダムアクセス過程が完了することを決定することに用いられることを特徴とする請求項１４又は１５に記載の端末装置。
【請求項１７】
前記処理ユニットは具体的に、
前記通信ユニットが前記第１ＰＤＣＣＨを正しく受信できない場合、ランダムアクセス過程を改めて開始することに用いられることを特徴とする請求項１４〜１６のいずれか１項に記載の端末装置。
【請求項１８】
ネットワーク装置であって、
第１物理ランダムアクセスチャネル（ＰＲＡＣＨ）リソースにおいて、端末装置から送信された第１プリアンブルシーケンス及び／又は第１アップリンク情報を受信することに用いられる通信ユニットと、
前記第１プリアンブルシーケンス及び前記第１アップリンク情報の受信状況に応じて後続のランダムアクセス過程を実行することに用いられる処理ユニットと、を備えることを特徴とするネットワーク装置。
【請求項１９】
前記通信ユニットが前記第１プリアンブルシーケンス及び／又は前記第１アップリンク情報を受信した場合、前記通信ユニットは更に、前記端末装置に第１ランダムアクセス無線ネットワーク一時的識別子（ＲＡ−ＲＮＴＩ）によりスクランブルした第１物理ダウンリンク制御チャネル（ＰＤＣＣＨ）を送信することに用いられ、前記第１ＲＡ−ＲＮＴＩは前記第１ＰＲＡＣＨリソースに基づいて取得したものであり、
前記第１ＰＤＣＣＨは第１指示情報を含み、前記第１指示情報は前記第１ＰＤＣＣＨがスケジューリングした第１物理ダウンリンク共有チャネル（ＰＤＳＣＨ）に第１ランダムアクセス応答（ＲＡＲ）フォーマットのＲＡＲメッセージが含まれるかどうかを決定することに用いられ、ＲＡＲフォーマットは前記第１ＲＡＲフォーマットと第２ＲＡＲフォーマットを含み、前記第１ＲＡＲフォーマットのＲＡＲメッセージはプリアンブルシーケンス及びアップリンク情報に対する応答であり、前記第２ＲＡＲフォーマットのＲＡＲメッセージはプリアンブルシーケンスに対する応答であり、
前記通信ユニットが前記第１プリアンブルシーケンス及び／又は前記第１アップリンク情報を受信する前に、前記通信ユニットは更に、プリアンブルシーケンスグループとＰＵＣＣＨリソースとの対応関係を示すための設定情報を前記端末装置に送信することに用いられることを特徴とする請求項１８に記載のネットワーク装置。
【請求項２０】
前記通信ユニットが前記第１プリアンブルシーケンスを正しく受信したが、前記第１アップリンク情報を正しく受信できない場合、前記第１指示情報は、前記第１ＰＤＣＣＨがスケジューリングした前記第１ＰＤＳＣＨに、前記第１ＲＡＲフォーマットのＲＡＲメッセージが含まれないことを決定し、
或いは、
前記通信ユニットが前記第１プリアンブルシーケンスを正しく受信して、前記第１アップリンク情報を正しく受信した場合、前記第１指示情報は、前記第１ＰＤＣＣＨがスケジューリングした前記第１ＰＤＳＣＨに、前記第１ＲＡＲフォーマットのＲＡＲメッセージが含まれることを決定することを特徴とする請求項１９に記載のネットワーク装置。
【国際調査報告】
2022502877.tif 000011
2022502877.tif 000012
2022502877.tif 000013
2022502877.tif 000014